(57)【要約】【課題】カメラに装着したとき、把持しやすく、かつ倒れ難く、また装着可能なカメラの種類が限定されることのなく、さらに装着したカード型電子機器が破損し難いカメラアダプタを提供する。【解決手段】本発明のカメラアダプタ１は、正面に向って左側にシャッター釦２１が配置されているカメラ２０の底面に対して、上面が脱着可能である。そして、カメラ２０と接続された状態でシャッター釦２１を操作するために右手で把持される側面Ｒ側の幅をカメラ２０の幅とほぼ同一に形成し、側面Ｒ側の反対側である側面Ｌ側の幅を側面Ｒ側の幅よりも広く形成する。また、ケーブル４をカメラアダプタ本体２に収納可能に構成する。さらに、カメラアダプタ本体２に凹部８を設け、ＰＨＳカード３０またはメモリーカード３１を装着可能なカードスロット９を凹部８に設ける。【選択図】図９
2005091700.tif 000002
【特許請求の範囲】
【請求項１】
正面に向って左右いずれかの側にシャッター釦が配置されているカメラの底面に対して、上面が脱着可能なカメラアダプタであって、
前記カメラと接続された状態で前記シャッター釦を操作するために把持される側の幅を前記カメラの幅とほぼ同一に形成し、前記把持される側の反対側の幅を前記把持される側の幅よりも広く形成したカメラアダプタ。
【請求項２】
カード型電子機器を装着可能な装着手段を前記把持される側の反対側に備えることを特徴とする請求項１に記載のカメラアダプタ。
【請求項３】
電池収納部を前記把持される側の反対側に備えることを特徴とする請求項１または２に記載のカメラアダプタ。
【請求項４】
カメラに対して脱着可能なカメラアダプタであって、
カメラアダプタ本体と、
前記カメラと電気的または光学的に接続するコネクタと、
前記カメラアダプタ本体と前記コネクタとを接続するケーブルと、を備え、
前記ケーブルは前記カメラアダプタ本体に収納可能に構成することを特徴とするカメラアダプタ。
【請求項５】
前記ケーブルを前記カメラアダプタ本体に収納するよう付勢する付勢手段を備えることを特徴とする請求項４に記載のカメラアダプタ。
【請求項６】
前記ケーブルをカメラアダプタ本体に収納したとき前記コネクタまたは前記ケーブルを前記カメラアダプタ本体に係止する係止手段を備えることを特徴とする請求項４または５に記載のカメラアダプタ。
【請求項７】
カメラと脱着可能なカメラアダプタであって、
カメラアダプタ本体に凹部を設け、
カード型電子機器を装着可能な装着手段を前記凹部に設けることを特徴とするカメラアダプタ。
【請求項８】
前記凹部は、前記カメラアダプタ本体の側面および少なくとも上面または下面が開口することにより形成されることを特徴とする請求項７に記載のカメラアダプタ。
【請求項９】
前記凹部は、前記カメラアダプタ本体の側面および上下面が開口することにより形成されることを特徴とする請求項７に記載のカメラアダプタ。
【請求項１０】
前記カード型電子機器を前記装着手段に装着したとき、前記カード型電子機器のうち前記装着手段の外部に出ている部分が前記凹部の内部に納まるよう構成したことを特徴とする請求項７〜９のいずれかに記載のカメラアダプタ。
【発明の詳細な説明】
【技術分野】
【０００１】
本発明は、カメラに対して脱着可能なカメラアダプタに関し、特に、装着した状態でカメラによる撮影が可能であるカメラアダプタに関するものである。
【背景技術】
【０００２】
近年、カメラの機能に対する使用者の要望は多様化してきている。その要望に応え、カメラ機能の充実を図るために、カメラに脱着可能なカメラアダプタが開発されている（例えば、特許文献１参照）。
【０００３】
カメラアダプタの機能としては、カメラに電源を供給する電源供給機能、画像データ等のデータをカメラから受けて記憶する記憶機能、画像データ等のデータを外部のネットワークとの間で送受信する通信機能等が開発されている。
【０００４】
また、カメラアダプタは機械的にカメラに装着可能である。このため、ユーザーはカメラアダプタを装着したままカメラで撮影をすることができる。
【特許文献１】特開２００１−３５２４７７号公報
【発明の開示】
【発明が解決しようとする課題】
【０００５】
特許文献１に記載のカメラアダプタは略直方体に形成されている。そのため、カメラとカメラアダプタとの幅をほぼ同一に形成すると、カメラの幅が狭くなるに伴いカメラアダプタの幅も狭くなる。そうすると、カメラアダプタを装着してカメラを机等の上に置くと、幅はそのままで高さが高くなるため、カメラは倒れやすくなるという問題点があった。一方、カメラの幅よりもカメラアダプタの幅を広く形成すると、置いた時の安定性は良くなる。しかし、カメラにカメラアダプタを装着した状態で撮影しようとすると、カメラよりもカメラアダプタの幅が広いので、ユーザーは把持し難くなる。
【０００６】
また、特許文献１に記載のカメラアダプタは、電子部品をカメラに接続することにより、カメラとの電気的接続を確保している。この電子部品は一端がカメラアダプタ本体に固定されている。従って、この電子部品の移動可能な範囲は小さい。そのため、カメラの接続部は、カメラアダプタの接続部である電子部品の移動範囲内にある必要がある。そうすると、あるカメラアダプタに装着できるカメラの種類は接続部の位置という観点から限定されることになるという問題点があった。
【０００７】
また、特許文献１に記載のカメラアダプタは、メモリーカード等のカード型電子機器を装着するカードスロットを有しているが、このカードスロットはカメラアダプタの背面に設けられ、カメラアダプタの背面は平面状に形成されている。そのため、カード型電子機器をカードスロットに装着すると、カード型電子機器の一部が、カメラアダプタの背面から突出して損傷しやすいという問題点があった。
【０００８】
本発明は上記従来の問題点を解決するもので、カメラに装着したとき、把持しやすく、かつ倒れ難いカメラアダプタを提供することを第１の目的とする。また、カメラと接続するためのコネクタの移動可能な範囲を広げることにより、装着可能なカメラの種類が限定されることのないカメラアダプタを提供することを第２の目的とする。また、装着したカード型電子機器が破損し難いカメラアダプタを提供することを第３の目的とする。
【課題を解決するための手段】
【０００９】
この目的を達成するために、本発明のカメラアダプタは、正面に向って左右いずれかの側にシャッター釦が配置されているカメラの底面に対して、上面が脱着可能である。そして、カメラと接続された状態でシャッター釦を操作するために把持される側の幅をカメラの幅とほぼ同一に形成し、把持される側の反対側の幅を把持される側の幅よりも広く形成した。
【００１０】
このように、把持される側の幅をカメラの幅とほぼ同一に形成することにより、ユーザーが把持する部分は、カメラとカメラアダプタの幅がほぼ同一なので、カメラとカメラアダプタを接続した状態でも取扱いやすい。また、把持される側の反対側の幅を把持される側の幅よりも広く形成したため、カメラとカメラアダプタとを接続した状態で、カメラアダプタを下にして置いた状態で、倒れ難く安定する。
【００１１】
また、本発明のカメラアダプタは、カード型電子機器を装着可能な装着手段を把持される側の反対側に備える。このように把持される側の反対側に装着手段を備えることにより、カメラがカード型電子機器の幅よりも薄いものになっても、ユーザーが把持する部分はカメラと同様に薄くしつつ、反対側の幅が広いことを利用して、カード型電子機器を装着することができるだけのスペースを確保することができる。
【００１２】
さらに、本発明のカメラアダプタは、電池収納部を把持される側の反対側に備える。このように把持される側の反対側に装着手段を備えることにより、カメラが薄いものになっても、ユーザーが把持する部分はカメラと同様に薄くしつつ、反対側の幅が広いことを利用して、電池を収納することができるだけのスペースを確保することができる。
【００１３】
また、本発明のカメラアダプタは、カメラに対して脱着可能なカメラアダプタである。そして、カメラアダプタ本体と、カメラと電気的または光学的に接続するコネクタと、カメラアダプタ本体とコネクタとを接続するケーブルと、を備える。さらに、ケーブルはカメラアダプタ本体に収納可能に構成することを特徴とする。
【００１４】
このように、ケーブルをカメラアダプタ本体に収納可能に構成することにより、ケーブルを長くしても邪魔にならない。そのため、ケーブルを長くすることができるので、コネクタの移動範囲を広くすることができる。コネクタの移動範囲が広くなると、カメラのコネクタと接続する部分の位置を限定することがなくなる。そうすると、カメラアダプタを装着できるカメラの種類が接続部の位置という観点から限定されるという問題点を解消することができる。
【００１５】
また、本発明のカメラアダプタは、上記ケーブルが収納される構成に加えて、ケーブルをカメラアダプタ本体に収納するよう付勢する付勢手段を備える。このように、付勢手段を備えることにより、ケーブルは、常に必要な長さだけ引き出され、不要な長さ分はカメラアダプタ本体内に収納される。そのため、ケーブルが垂れ下がり、引っかかりやすいという不具合を解消することができる。
【００１６】
さらに、本発明のカメラアダプタは、ケーブルをカメラアダプタ本体に収納したときコネクタまたはケーブルをカメラアダプタ本体に係止する係止手段を備える。このように、係止手段を備えることにより、ケーブルを不用意に引っ張って、ケーブルを断線させる等の不具合を防止できる。また、カメラアダプタを持ち運ぶ際にコネクタを固定することができる。
【００１７】
また、本発明のカメラアダプタは、カメラと脱着可能であって、カメラアダプタ本体に凹部を設け、カード型電子機器を装着可能な装着手段を凹部に設ける。このように、装着手段を凹部に設けることにより、カード型電子機器の装着手段の外部に出ている部分について、衝撃から機械的に保護することができる。
【００１８】
また、凹部は、カメラアダプタ本体の側面および少なくとも上面または下面が開口することにより形成される。このように、上面または下面を開口するのみの場合、開口していない面からの衝撃に対して、機械的に装着されたカード型電子機器を保護することができる。また、ユーザーは開口している面から指を挿入することにより、カード型電子機器を挿抜することができる。
【００１９】
または、凹部は、カメラアダプタ本体の側面および上下面が開口することにより形成される。このように、上下面を開口することにより、カード型電子機器を装着した際に、カード型電子機器の上下に障害となるものがないので、カード型電子機器は電波を良好に送受信することができる。また、凹部に指を挿入しやすいため、カード型電子機器を挿抜しやすい。
【００２０】
また、本発明のカメラアダプタは、カード型電子機器を装着手段に装着したとき、カード型電子機器のうち装着手段の外部に出ている部分が凹部の内部に納まるよう構成した。このように、カード型電子機器を凹部の内部に納まるようにしたため、カード型電子機器が外部に接触しにくくなり、損傷を防止することができる。
【発明の効果】
【００２１】
以上のように本発明は、カメラに装着したとき、把持しやすく、かつ倒れ難く、また装着可能なカメラの種類が限定されることがなく、さらに装着したカード型電子機器が破損し難いカメラアダプタを得ることができるという優れた効果が得られる。
【発明を実施するための最良の形態】
【００２２】
以下、本発明の実施の形態について、図１〜図１７を用いて説明する。本発明の実施の形態にかかるカメラアダプタは、カメラに脱着可能である。同カメラアダプタを装着した状態でも同カメラは撮影可能である。また、同カメラアダプタは、メモリーカード等の種々のカード型電子機器を装着可能であり、装着したカードによって異なる機能を発揮するものである。以下では、同カメラアダプタについて、（１）外観形状（２）カメラと接続した状態の外観（３）カード形状およびカードを装着したときの外観（４）電気的構成（５）まとめ  の５項目に分けて説明する。
（１）外観形状
以下、本発明の実施の形態にかかるカメラアダプタ１の外観形状について、図１〜図８を用いて説明する。
【００２３】
図１は本発明の実施の形態におけるカメラアダプタ１の背面から見た斜視図である。図２はケーブル４を収納したときの同カメラアダプタ１の背面から見た斜視図である。図１において、カメラアダプタ１は、カメラアダプタ本体２、コネクタ３およびケーブル４から構成される。
【００２４】
コネクタ３は、後述するカメラ２０と電気的または光学的に接続する。コネクタ３がカメラ２０と電気的に接続した場合、コネクタ３はカメラ２０との間で電気信号を交換し、ケーブル４は電気ケーブルで構成される。コネクタ３がカメラ２０と光学的に接続した場合、コネクタ３はカメラ２０との間で光学信号を交換し、ケーブル４は光ファイバー等で構成される。コネクタ３は接続部３ａを有する。コネクタ３は、接続部３ａを後述するカメラ２０のコネクタの挿入部に挿入することにより、カメラ２０と接続される。
【００２５】
ケーブル４は、柔軟性を有する素材からなる。ケーブル４は、カメラアダプタ本体２に設けられた付勢手段１２（後述の図１４参照）により、カメラアダプタ本体２に収納するよう付勢されている。付勢手段１２はバネ等により構成される。図２に示すように、ケーブル４は、カメラアダプタ本体２の内部にある後述のケーブル収納部１１に収納される。カメラアダプタ本体２は、ケーブル４をケーブル収納部１１に収納したとき、ケーブル４を係止する係止手段１４（後述の図１４参照）を有する。係止手段１４はバネ等により構成される。係止手段１４が収納状態でケーブル４を係止するために、ケーブル４を引っ張り出す際、クリック感を出すことができる。
【００２６】
カメラアダプタ本体２は、接続部５、規正ピン６、ＬＥＤ７、凹部８およびカードスロット９から構成される。接続部５は、カメラアダプタ本体２とカメラ２０とを機械的に接続する接続手段である。規正ピン６は、カメラアダプタ本体２とカメラ２０とを接続する際に、カメラ２０に設けられた規制穴（図示省略）に嵌合し、カメラアダプタ本体２とカメラ２０との相対位置を規正する手段である。ＬＥＤ７は、カメラアダプタ１が所定の動作をしている間、点灯しまたは点滅することにより、ユーザーにカメラアダプタ１の動作状態を知らせる表示手段である。
【００２７】
凹部８は、カメラアダプタ本体２の側面Ｌに設けられている。凹部８は、カメラアダプタ本体２の側面Ｌおよび上面が開口することにより形成されている。これにより、ユーザーの指は、凹部８の奥まで届くことができる。凹部８の底部１６は板材で覆われている。カードスロット９は凹部８に設けられている。カードスロット９は、後述するようにＰＨＳカード３０またはメモリーカード３１を装着可能である。凹部８の内部のカードスロット９付近にはガイド１７ａおよび１７ｂが設けられている。ガイド１７ａおよび１７ｂは、ＰＨＳカード３０またはメモリーカード３１をカードスロット９に挿入するときに、これらのカードを案内するものである。ガイド１７ａは、カードの挿入時にカードの上面に当接する。ガイド１７ｂは、カードの挿入時にカードの下面に当接する。ガイド１７ａおよびガイド１７ｂによって、カードの上下方向の位置規正を容易にすることができるため、カードを容易にカードスロット９に挿入することができる。
【００２８】
図３は本発明の実施の形態におけるカメラアダプタ１の正面から見た斜視図である。図３に示すように、接続部５は、ねじ部５ａおよび操作部５ｂから構成される。ねじ部５ａは、カメラ２０の三脚接続用雌ねじに螺合する。ねじ部５ａと操作部５ｂは一体に構成されている。ユーザーが操作部５ｂを指で回転させると、それに伴いねじ部５ａも回転する。操作部５ｂの表面には凹凸が形成されている。この凹凸により、ユーザーの操作時に、ユーザーの指が操作部５ｂに対して滑りにくくなる。
【００２９】
図４は本発明の実施の形態におけるカメラアダプタ１の上面から見た平面図である。図４に示すように、左側の側面Ｌは、右側の側面Ｒよりも幅が広く構成されている。そのため、側面Ｌ側の幅がカードの幅よりも小さいものであっても、カードを挿入するだけのスペースを確保できる。図５は同カメラアダプタ１の背面図である。図６は同カメラアダプタ１の正面図である。図７は同カメラアダプタ１の側面Ｌから見た側面図である。図８は同カメラアダプタ１の下面から見た底面図である。
（２）カメラと接続した状態の外観
次に、本発明の実施の形態にかかるカメラアダプタ１をカメラ２０に装着したときの外観について、図９および図１０を用いて説明する。
【００３０】
図９は本発明の実施の形態におけるカメラアダプタ１をカメラ２０に装着したときの背面から見た斜視図である。図９において、カメラアダプタ本体２はカメラ２０に機械的に装着されている。コネクタ３は、カメラ２０側のコネクタに機械的かつ電気的または光学的に接続されている。コネクタ３をカメラ２０に接続する際に、ケーブル４は必要な長さだけカメラアダプタ本体２から引っ張り出される。但し、ケーブル４は、付勢手段１２（図１６参照）によりカメラアダプタ本体２に収納するよう付勢されているので、必要以上にカメラアダプタ本体２から引っ張り出しても、不要な長さ分は収納される。そのため、コネクタ３をカメラ２０に接続したとき、ケーブル４が長過ぎて弛んでしまい邪魔になるということはない。カードスロット９にはＰＨＳカード３０が装着されている。
【００３１】
カメラアダプタ本体２の側面Ｒ側の背面は、カメラ２０に装着した際に、カメラ２０の背面とほぼ面一になるように形成されている。一方、カメラアダプタ本体２の側面Ｌ側の背面は、カメラ２０に装着した際に、カメラ２０の背面よりも突出するように形成されている。
【００３２】
カメラ２０は、シャッター釦２１、電源スイッチ２２、決定ボタン２３、モードダイヤル２４、カーソルキー２５、メニューボタン２６等の操作手段を備える。これらの操作手段は、カメラアダプタ１を装着した際に、カメラアダプタ１の側面Ｒ側に配置される。また、シャッター釦２１および電源スイッチ２２は、カメラ２０の上面に配置され、ユーザーが右手でカメラ２０およびカメラアダプタ１を把持した際に右手人差し指で操作可能に配置される。一方、決定ボタン２３、モードダイヤル２４、カーソルキー２５およびメニューボタン２６は、カメラ２０の背面に配置され、ユーザーが右手でカメラ２０およびカメラアダプタ１を把持した際に右手親指で操作可能に配置される。従って、ユーザーは、カメラアダプタ１を装着した状態のカメラ２０を片手（右手）で操作することができる。
【００３３】
また、カメラ２０は、液晶モニタ２７および覗き込みタイプのファインダ２８を備える。液晶モニタ２７およびファインダ２８は、カメラアダプタ１を装着した際に、カメラアダプタ１の側面Ｌ側に配置される。
【００３４】
図１０は本発明の実施の形態におけるカメラアダプタ１をカメラ２０に装着したときの正面から見た斜視図である。図１０に示すように、接続部５の操作部５ｂは、カメラ２０に装着したときでも露出するよう形成されており、ユーザーが指で操作可能である。また、カメラアダプタ本体２の正面は、カメラ２０に装着した際に、カメラ２０の正面とほぼ面一になるように形成されている。
（３）カード形状およびカードを装着したときの外観
次に、本発明の実施の形態にかかるカメラアダプタ１に装着するＰＨＳカード３０およびメモリーカード３１の外観とそれらのカードを装着したときの外観について、図１１〜図１５を用いて説明する。
【００３５】
図１１（ａ）は、ＰＨＳカード３０の外形を示す斜視図である。ＰＨＳカード３０は、装着部３０ａとアンテナ部３０ｂから構成される。装着部３０ａは、カードスロット９に装着される。装着部３０ａは、カードスロット９と接触する端子（図示省略）や端子（図示省略）を介して入出力される信号を処理するための電気回路等を含む。アンテナ部３０ｂは、ＰＨＳ方式の基地局との間で電波を送受信するためのアンテナ（図示省略）を含む。アンテナ部３０ｂの厚みは、装着部３０ａの厚みよりも厚く形成しているが、これには限定されない。アンテナ（図示省略）をアンテナ部３０ｂにコンパクトに収容できれば薄く形成しても構わない。一方、図１１（ｂ）は、メモリーカード３１の外形を示す斜視図である。メモリーカード３１は、厚みが均一なカード状に形成されている。メモリーカード３１の幅はＰＨＳカード３０の幅と同一である。メモリーカード３１の長さはＰＨＳカード３１の長さよりもアンテナ部３０ｂを有していない分だけ短い。
【００３６】
図１２はＰＨＳカード３０を装着したときのカメラアダプタ１の背面から見た斜視図である。また、図１３はこのときのカメラアダプタ１の平面図である。図１２および図１３において、ＰＨＳカード３０の装着部３０ｂは、カードスロット９内に装着されている。カードスロット９は、カメラアダプタ本体２の側面に設けられているので、装着部３０ｂが長くても、十分に収容することができる。ＰＨＳカード３０のうちアンテナ部３０ａはカードスロット９の外部に出ている。アンテナ部３０ａは、凹部８の内部に納まるよう構成されている。すなわち、アンテナ部３０ａは、カメラアダプタ本体２の上下面の間にあり、アンテナ部３０ａの端面は、カメラアダプタ本体２の側面Ｌよりも内側にある。これにより、カメラアダプタ本体２の側面Ｌが床などに接触した場合でも、ＰＨＳカード３０は床などに接触することはなく、ＰＨＳカード３０の損傷を防止することができる。また、凹部８におけるアンテナ部３０ａの上面は、何も覆われておらず露出している。このため、アンテナ部３０ａは、ＰＨＳ方式の基地局との間で良好に電波を送受信することができる。
【００３７】
図１４はメモリーカード３１を装着したときのカメラアダプタ１の背面から見た斜視図である。また、図１５はこのときのカメラアダプタ１の平面図である。図１４および図１５において、メモリーカード３１の大部分がカードスロット９内に装着されている。メモリーカード３１の一部はカードスロット９の外部に出ている。メモリーカード３１のうちカードスロット９の外部に出ている部分は、凹部８の内部に納まるよう構成されている。このため、カメラアダプタ本体２の側面Ｌが床などに接触した場合でも、メモリーカード３１は床などに接触することはなく、メモリーカード３１の損傷を防止することができる。また、凹部８におけるメモリーカード３１の上面は、何も覆われておらず露出している。
【００３８】
ところで、メモリーカード３１は、端部を図１５における矢印Ａ方向に指で押し込むことにより、カードスロット９に装着することができる。一方、装着された状態のメモリーカード３１を取り出すには、再び端部を図１５における矢印Ａ方向に指で一旦押し込み、その後押し込んだ指を離すようにする。そうすると、メモリーカード３１は、カードスロット９から飛び出すよう作用する。この作用は、カードスロット９の内部に設けられているバネ等（図示省略）によるものである。以上のようにユーザーが操作するには、メモリーカード３１装着時および取り出し時にメモリーカード３１の端部に最後まで指が届く必要がある。この点において、本発明の実施の形態にかかるカメラアダプタ１は、凹部８の上面が開口し、十分間口の広い凹部８を形成しているので、ユーザーは凹部８に指を挿入しやすい。そのため、メモリーカード３１の挿抜を容易に行うことができる。
（４）電気的構成
次に、本発明の実施の形態にかかるカメラアダプタ１の電気的構成について、図１６を用いて説明する。
【００３９】
図１６は、カメラアダプタ１の構成を示すブロック図である。図１６において、アダプタ制御手段１０は、カメラアダプタ１全体を制御する制御手段である。アダプタ制御手段１０は、半導体チップやコンピュータ・ソフトウェア等から構成される。ケーブル収納部１１は、カメラアダプタ本体２に設けられたスペースであり、ケーブル４を収納する。付勢手段１２は、バネ等からなり、ケーブル４をケーブル収納部１１に収納するよう付勢する。電池収納部１３は、カメラアダプタ１の駆動電源を供給する電池を収納する。電池収納部１３は、図１における側面Ｌ側に設ける。側面Ｌ側は幅が大きいので、ある程度大きな電池を収納できる。係止手段１４は、収納された状態でケーブル４を係止する。係止手段１４はバネ等から構成される。ケーブル４を係止手段１４に係止することにより、ケーブル４を引き出す際にクリック感を持たせることができる。そのため、ケーブル４を不用意に引っ張って、ケーブル４を断線させる等の不具合を防止できる。また、カメラアダプタ１を携帯しているときに、意図せずケーブル４が引き出されることもない。カードスロット９は、ＰＨＳカード３０またはメモリーカード３１を装着可能である。
【００４０】
以上のように構成されたカメラアダプタ１は、通信機能、記憶機能および電源供給機能を有する。以下、各機能におけるアダプタ制御手段１０の動作を説明する。
【００４１】
まず、通信機能について説明する。通信機能を作用させるにはカードスロット９にＰＨＳカード３０を装着する。この状態において、アダプタ制御手段１０は、コネクタ３およびケーブル４を介して、カメラ２０から画像データ等のデータを受信することもできる。アダプタ制御手段１０は、ＰＨＳカード３０を介して、ＰＨＳ方式の基地局にカメラ２０から受信したデータを送信する。送信中、アダプタ制御手段１０は、ＬＥＤ７を点滅または点灯させ、ユーザーに送信中であることを知らせる。また、アダプタ制御手段１０は、ＰＨＳカード３０を介して、ＰＨＳ方式の基地局から画像データ等のデータを受信する。受信中、アダプタ制御手段１０は、ＬＥＤ７を点滅または点灯させ、ユーザーに受信中であることを知らせる。そして、受信したデータをカメラ２０に送信する。
【００４２】
次に、記憶機能について説明する。記憶機能を作用させるにはカードスロット９にメモリーカード３１を装着する。この状態において、アダプタ制御手段１０は、メモリーカード３１にカメラ２０から受信したデータを記憶させる。記憶中、アダプタ制御手段１０は、ＬＥＤ７を点滅または点灯させ、ユーザーに記憶中であることを知らせる。また、アダプタ制御手段１０は、メモリーカード３１からデータを読み出し、そのデータをカメラ２０に送信する。送信中、アダプタ制御手段１０は、ＬＥＤ７を点滅または点灯させ、ユーザーに送信中であることを知らせる。
【００４３】
最後に、電源供給機能について説明する。アダプタ制御手段１０は、電子収納部１３に収納された電池から電源を取り出し、ケーブル４およびコネクタ３を介してカメラ２０に電源を供給する。電源を供給している間、アダプタ制御手段１０は、ＬＥＤ７を点滅または点灯させ、ユーザーに電源供給中であることを知らせる。
（５）まとめ
以上のように、本発明の実施の形態にかかるカメラアダプタ１は、正面に向って左側にシャッター釦２１が配置されているカメラ２０の底面に対して、上面が脱着可能である。そして、カメラ２０と接続された状態でシャッター釦２１を操作するために右手で把持される側面Ｒ側の幅をカメラ２０の幅とほぼ同一に形成し、側面Ｒ側の反対側である側面Ｌ側の幅を側面Ｒ側の幅よりも広く形成する。
【００４４】
このように形成することで、ユーザーが把持する部分は、カメラ２０とカメラアダプタ１の幅がほぼ同一なので、カメラ２０とカメラアダプタ１を接続した状態でも取扱いやすい。また、ユーザーが把持する部分と反対側の幅を広くするため、カメラ２０とカメラアダプタ１とを接続した状態で、カメラアダプタ１を下にして置いた状態で、倒れ難く安定する。
【００４５】
また、同カメラアダプタ１は、ＰＨＳカード３０またはメモリーカード３１を装着可能なカードスロット９を把持される側の反対側である側面Ｌ側に備える。このようにしてカードスロット９を備えることにより、カメラ２０がメモリーカード３１等の幅よりも薄いものになっても、ユーザーが把持する部分（側面Ｒ側）はカメラ２０と同様に薄くしつつ、反対側（側面Ｌ側）の幅が広いことを利用して、メモリーカード３１等を装着することができるだけのスペースを確保することができる。
【００４６】
さらに、同カメラアダプタ１は、電池収納部１３を把持される側（側面Ｒ側）の反対側（側面Ｌ側）に備える。このようにしてカードスロット９を備えることにより、カメラ２０が薄いものになっても、ユーザーが把持する部分（側面Ｒ側）はカメラ２０と同様に薄くしつつ、反対側（側面Ｌ側）の幅が広いことを利用して、電池を収納することができるだけのスペースを確保することができる。
【００４７】
また、本発明の実施の形態にかかるカメラアダプタ１は、カメラ２０に対して脱着可能である。そして、カメラアダプタ本体２と、カメラ２０と電気的または光学的に接続するコネクタ３と、カメラアダプタ本体２とコネクタ３とを接続するケーブル４と、を備える。さらに、ケーブル４をカメラアダプタ本体２に収納可能に構成する。
【００４８】
このように、ケーブル４をカメラアダプタ本体２に収納可能に構成することにより、ケーブル４を長くしても邪魔にならない。そのため、ケーブル４を長くすることができるので、コネクタ３の移動範囲を広くすることができる。そのため、カメラ２０のコネクタ３と接続する部分の位置を限定することがなくなる。そうすると、カメラアダプタ１を装着できるカメラ２０の種類が限定されるという問題点を解消することができる。
【００４９】
また、同カメラアダプタ１は、ケーブル４をカメラアダプタ本体２に収納するよう付勢する付勢手段１２を備える（図１６参照）。このように、付勢手段１２を備えることにより、ケーブル４は、常に必要な長さだけ引き出され、不要な長さ分はカメラアダプタ本体２内に収納される。そのため、ケーブル４が垂れ下がり、引っかかりやすいという不具合を解消することができる。
【００５０】
さらに、同カメラアダプタ１は、ケーブル４をカメラアダプタ本体２に収納したときケーブル４をカメラアダプタ本体２に係止する係止手段１４を備える（図１６参照）。このように、係止手段１４を備えることにより、ケーブル４を不用意に引っ張って、ケーブル４を断線させる等の不具合を防止できる。また、カメラアダプタ１を持ち運ぶ際にコネクタ３を固定することができる。
【００５１】
また、本発明の実施の形態にかかるカメラアダプタ１は、カメラと脱着可能である。そして、カメラアダプタ本体２に凹部８を設け、ＰＨＳカード３０またはメモリーカード３１を装着可能なカードスロット９を凹部８に設ける。このように、カードスロット９を凹部８に設けることにより、ＰＨＳカード３０またはメモリーカード３１のカードスロット９の外部に出ている部分について、衝撃から機械的に保護することができる。
【００５２】
また、同カメラアダプタ１の凹部８は、カメラアダプタ本体２の側面および上面が開口することにより形成される。このように、上面を開口することにより、ＰＨＳカード３０を装着した際に、アンテナ部３０ｂの上面に障害となるものがないので、ＰＨＳ方式の基地局との間で電波を良好に送受信することができる。また、上面が開口しているため、凹部８の間口を十分広くすることができるため、凹部８に指が挿入しやすくメモリーカード３１の挿抜を容易に行うことができる。一方、凹部８の底面は、板材１６で覆われているため、下面からの衝撃に対して、カードを機械的に保護することができる。
【００５３】
さらに、同カメラアダプタ１は、ＰＨＳカード３０をカードスロット９に装着したとき、ＰＨＳカード３０のうちカードスロット９の外部に出ている部分（アンテナ部３０ｂ）が凹部８の内部に納まるよう構成する。このように、ＰＨＳカード３０を凹部８の内部に納まるようにしたため、ＰＨＳカード３０が外部に接触しにくくなり、損傷を防止することができる。特に、カメラアダプタ１はカメラ２０に脱着可能であるため、ユーザーが携行する場合が多い。そのため、ユーザーが手を滑らせて、落としてしまうことも考えられる。この場合でも、ＰＨＳカード３０は凹部８の内部に納まるようにしたため、損傷を防止できる。
【００５４】
また、同カメラアダプタ１は、凹部８内のカードスロット９付近にガイド１７ａ、１７ｂを設けたので、カードを容易に挿抜できる。
【００５５】
なお、以上の本発明の実施の形態におけるＰＨＳカード３０またはメモリーカード３１は本発明のカード型電子機器の一例である。カードスロット９は本発明の装着手段の一例である。
【００５６】
また、以上の本発明の実施の形態では、カードスロット９は、ＰＨＳカード３０を装着可能としたが、通信機能を有するカードであれば良く、例えば、ブルートゥース用のカードでも良い。
【００５７】
また、凹部８は、図６に示すように、側面および上面を開口することにより形成したが、側面および下面を開口することにより形成しても良い。
【００５８】
また、凹部８は、図１７に示すように、側面、上面および下面を開口することにより形成しても良い。この場合、ユーザーは、カメラアダプタ１をカメラ２０に装着した状態でも、下面が開口しているので指を凹部８に容易に挿入することができる。このため、メモリーカード３１を容易に挿抜することができる。また、下面も開口しているため、通信において邪魔するものが無くなるので、装着したＰＨＳカード３０は、ＰＨＳ方式の基地局と良好に電波を交換できる。
【００５９】
また、上記の本発明の実施の形態では、右手で把持する側にシャッター釦２１を配置して、その側のカメラアダプタ本体２の幅をカメラ２０の幅とほぼ同一に構成したが、逆に、左手で把持する側に、シャッター釦２１を配置して、その側のカメラアダプタ本体２の幅をカメラ２０の幅とほぼ同一に構成しても良い。このように構成することにより、左利きのユーザーには使用しやすいものとなる。
【００６０】
また、上記の本発明の実施の形態では、係止手段１４はケーブル４を係止するとしたが、コネクタ３を係止するように構成しても良い。コネクタ３を係止するようにしても、ケーブル４を不用意に引き出すことを防止することができる。
【産業上の利用可能性】
【００６１】
本発明のカメラアダプタは、カメラに装着可能である付属装置に適用できる。カメラは、デジタルスチルカメラであっても良いし、デジタルビデオカメラであっても良い。また、フィルムカメラであっても適用できる。また、カメラアダプタは、通信機能や記憶機能、電源供給機能のいずれか又は他の機能を有しているものであっても良い。
【図面の簡単な説明】
【００６２】
【図１】本発明の実施の形態におけるカメラアダプタの背面から見た斜視図
【図２】同カメラアダプタの背面から見た斜視図
【図３】同カメラアダプタの正面から見た斜視図
【図４】同カメラアダプタの平面図
【図５】同カメラアダプタの背面図
【図６】同カメラアダプタの正面図
【図７】同カメラアダプタの側面図
【図８】同カメラアダプタの底面図
【図９】同カメラアダプタのカメラと接続した状態での背面から見た斜視図
【図１０】同カメラアダプタのカメラと接続した状態での正面から見た斜視図
【図１１】（ａ）ＰＨＳカードの斜視図（ｂ）メモリーカードの斜視図
【図１２】本発明の実施の形態におけるカメラアダプタのＰＨＳカードを装着した状態の背面から見た斜視図
【図１３】同カメラアダプタのＰＨＳカードを装着した状態の平面図
【図１４】同カメラアダプタのメモリーカードを装着した状態の背面から見た斜視図
【図１５】同カメラアダプタのメモリーカードを装着した状態の平面図
【図１６】同カメラアダプタの構成を示すブロック図
【図１７】本発明の他の実施の形態におけるカメラアダプタの平面図
【符号の説明】
【００６３】
１    カメラアダプタ
２    カメラアダプタ本体
３    コネクタ
４    ケーブル
８    凹部
９    カードスロット
１１    ケーブル収納部
１２    付勢手段
１３    電池収納部
１４    係止手段
２０    カメラ
２１    シャッター釦
３０    ＰＨＳカード
３１    メモリーカード
【図１】
2005091700.tif 000003
【図２】
2005091700.tif 000004
【図３】
2005091700.tif 000005
【図４】
2005091700.tif 000006
【図５】
2005091700.tif 000007
【図６】
2005091700.tif 000008
【図７】
2005091700.tif 000009
【図８】
2005091700.tif 000010
【図９】
2005091700.tif 000011
【図１０】
2005091700.tif 000012
【図１１】
2005091700.tif 000013
【図１２】
2005091700.tif 000014
【図１３】
2005091700.tif 000015
【図１４】
2005091700.tif 000016
【図１５】
2005091700.tif 000017
【図１６】
2005091700.tif 000018
【図１７】
2005091700.tif 000019